(57)【特許請求の範囲】
【請求項１】
一方の靴の内部を除菌等するための第１のクリーナ部と、他方の靴の内部を除菌等するための第２のクリーナ部と、対向する上記第１及び第２のクリーナ部を接近及び離反可能に支持すると共に第１及び第２のクリーナ部を接近させる方向に付勢する挟持機構とを備えるシューズクリーナであって、
上記第１のクリーナ部は、上記一方の靴の履口から靴内に挿入可能なプレート状の第１の蓋部と、当該第１の蓋部の裏面に貼り付けられた第１の電極シートと、当該第１の蓋部の表面側に立設された第１のハウジングとを有し、
上記第２のクリーナ部は、上記他方の靴の履口から靴内に挿入可能なプレート状の第２の蓋部と、当該第２の蓋部の裏面に貼り付けられた第２の電極シートと、当該第２の蓋部の表面側に立設された第２のハウジングとを有し、
上記第１及び第２の電極シートは、１対の電極の少なくとも一方の電極がシート状の誘電体内部に収納された構造をなし、
上記第１のハウジングは、オゾン発生に必要な電圧を上記第１及び第２の電極シートに供給するための電圧供給部を収納する、
ことを特徴とするシューズクリーナ。
【請求項２】
請求項１に記載のシューズクリーナにおいて、
上記挟持機構は、上記第１及び第２のハウジングをこれらの上端部で回転自在に支持するヒンジ機構と、第１及び第２のクリーナ部を接近させる方向に付勢するバネ部材とによって構成されている、
ことを特徴とするシューズクリーナ。
【請求項３】
請求項１または請求項２に記載のシューズクリーナにおいて、
上記第１及び第２の電極シートの少なくとも誘電体を、高分子樹脂で形成した、
ことを特徴とするシューズクリーナ。
【請求項４】
請求項１ないし請求項３のいずれかに記載のシューズクリーナにおいて、
上記第１及び第２の電極シートにおける１対の電極は、それぞれ櫛歯状に形成され、これら１対の電極の櫛歯同士が、一定間隔を保って、噛み合っている、
ことを特徴とするシューズクリーナ。
【請求項５】
請求項１ないし請求項３のいずれかに記載のシューズクリーナにおいて、
上記第１及び第２の電極シートにおける１対の電極の一方の電極を、上記誘電体内部に収納し、多数の孔を有した他方の電極又は櫛歯状の他方の電極のいずれかを、当該一方の電極に対向させた状態で、上記誘電体上に配設した、
ことを特徴とするシューズクリーナ。
【請求項６】
請求項１ないし請求項５のいずれかに記載のシューズクリーナにおいて、
上記第１及び第２の蓋部のそれぞれの裏面に、上記第１及び第２の電極シートをそれぞれ収容した多孔性のカバーを設けた、
ことを特徴とするシューズクリーナ。
【請求項７】
請求項１ないし請求項６のいずれかに記載のシューズクリーナにおいて、
上記第１及び第２の蓋部のそれぞれは、前蓋部と後蓋部とこれらを連結した連結部材とで形成され、上記前蓋部が上記連結部材を中心に回転可能に支持されている、
ことを特徴とするシューズクリーナ。
【発明の詳細な説明】
【技術分野】
【０００１】
この発明は、靴の除菌や脱臭等を行うことができるシューズクリーナに関するものである。
【背景技術】
【０００２】
従来、この種の技術としては、例えば、紫外線ランプを用いた装置（特許文献１参照）と、オゾンを用いた装置（特許文献２及び特許文献３）とがある。
特許文献１に記載の装置は、紫外線ランプを有した小型の装置であり、装置自体を靴内部に配置して、靴内の除菌を、紫外線ランプから発する紫外線によって行う。
また、特許文献２に記載の装置は、オゾン発生器と電源制御装置とを外箱内に内蔵した構造である。かかる構造により、この装置の外箱を靴内に挿入し、オゾンをオゾン発生器から外箱の広い空間内に発生させることで、外箱の孔から靴内に放出したオゾンによって、靴内を除菌等する。
これに対して、特許文献３に記載の装置は、オゾン発生器だけでなく、ファン等も有している。これにより、オゾンをオゾン発生器から外箱の広い空間内に発生させるだけでなく、発生させたオゾンを、ファンやノズルを用いて強制的に吹き出すことができる。
【先行技術文献】
【特許文献】
【０００３】
【特許文献１】特開１９９３−２２０２０８号公報
【特許文献２】特開平１１−１０４２２３号公報
【特許文献３】特開２００６−０３４９２５号公報
【発明の概要】
【発明が解決しようとする課題】
【０００４】
しかし、上記した従来の技術では、次のような問題があった。
特許文献１に記載の装置では、靴内の除菌等を、紫外線ランプで発生させた紫外線を照射して行う構造であるので、除菌等することができる箇所が、紫外線が当たる箇所に限られる。そのため、例えば、靴の中敷きの陰に隠れている箇所やつま先等、紫外線が届きにくい箇所では、十分な除菌効果を得ることができない。
これに対して、特許文献２や特許文献３に記載の装置では、オゾンを用いるため、靴内部の全てを除菌等することが可能である。しかしながら、これらの装置は、オゾン発生器等を広い空間を有する外箱内に内蔵した構造であるので、装置自体が大型化してしまう。
特に、特許文献３に記載の装置では、オゾン発生器だけでなく、ファンやノズル等の機構を、外箱内に設ける必要があるので、装置自体がさらに大型化するおそれがある。さらに、オゾン発生器を作動させる電力だけでなく、ファンを作動させるための電力も必要となるので、作動時の電力消費が多くなる。
【０００５】
この発明は、上述した課題を解決するためになされたもので、靴内のあらゆる箇所の除菌等が可能であり、しかも、小型で消費電力も小さいシューズクリーナを提供することを目的とする。
【課題を解決するための手段】
【０００６】
上記課題を解決するために、請求項１の発明は、一方の靴の内部を除菌等するための第１のクリーナ部と、他方の靴の内部を除菌等するための第２のクリーナ部と、対向する第１及び第２のクリーナ部を接近及び離反可能に支持すると共に第１及び第２のクリーナ部を接近させる方向に付勢する挟持機構とを備えるシューズクリーナであって、第１のクリーナ部は、一方の靴の履口から靴内に挿入可能なプレート状の第１の蓋部と、第１の蓋部の裏面に貼り付けられた第１の電極シートと、第１の蓋部の表面側に立設された第１のハウジングとを有し、第２のクリーナ部は、他方の靴の履口から靴内に挿入可能なプレート状の第２の蓋部と、第２の蓋部の裏面に貼り付けられた第２の電極シートと、第２の蓋部の表面側に立設された第２のハウジングとを有し、第１及び第２の電極シートは、１対の電極の少なくとも一方の電極がシート状の誘電体内部に収納された構造をなし、第１のハウジングは、オゾン発生に必要な電圧を第１及び第２の電極シートに供給するための電圧供給部を収納する構成とした。
かかる構成により、第１の電極シートを靴底側に向けた状態で、第１のクリーナ部の第１の蓋部を一方の靴の履口から内部にほぼ水平に挿入すると共に、第２の電極シートを靴底側に向けた状態で、第２のクリーナ部の第２の蓋部を他方の靴の履口から内部にほぼ水平に挿入することができる。第１及び第２の蓋部を靴の内部に挿入した後、挟持機構を用いて、第１及び第２のクリーナ部を接近させる方向に付勢すると、第１及び第２のクリーナ部が、双方の靴の側部を挟持する。かかる状態では、第１及び第２のクリーナ部の第１及び第２の蓋部が、一方及び他方の靴のそれぞれの内部に位置し、第１の蓋部が、一方の靴の履口を内側から塞ぐと共に、第２の蓋部が、他方の靴の履口を内側から塞いだ状態になる。また、第１の蓋部裏面の第１の電極シートが、一方の靴の靴底に対面すると共に、第２の蓋部裏面の第２の電極シートが、他方の靴の靴底に対面した状態になる。
かかる状態で、第１のハウジングに収納された電圧供給部を作動させることで、所望の電圧が、第１及び第２のクリーナ部の第１及び第２の電極シートに供給され、オゾンが、第１及び第２の電極シートから放出される。
このとき、第１の蓋部（第２の蓋部）の第１の電極シート（第２の電極シート）が、靴底に対面した状態になっているので、第１の電極シート（第２の電極シート）から放出されたオゾンが、直接靴底に吹き付けられることとなり、靴底が十分に除菌及び脱臭される。
また、気体であるオゾンは、紫外線等の光と異なり、靴の中敷きの陰に隠れている箇所やつま先等にも十分に行き渡るので、靴内のあらゆる箇所を除菌及び脱臭することができる。
さらに、第１の蓋部（第２の蓋部）が、靴底側の空間に蓋をした状態で位置するので、オゾンは、ほとんど漏れることなく、靴底側の空間に充満することとなる。この結果、十分な除菌と脱臭とを、低濃度のオゾンで実行することができ、その分、電圧供給部から第１及び第２の電極シートに供給する電圧を低くすることができ、消費電力の低減化を図ることができる。
つまり、この発明によれば、一方及び他方の靴を第１及び第２のクリーナ部によって挟持した状態で、双方の靴を同時に除菌及び脱臭することができる。
また、この発明では、電圧供給部を第１のクリーナ部の第１のハウジング内に収納し、簡単な構造の挟持機構を第１及び第２のクリーナ部間に設けただけの構成であるので、第１及び第２のクリーナ部の全体を、小さくすることができる。つまり、上記した特許文献２及び特許文献３に記載の装置のように、オゾンを発生させる空間や送風用ファンを収納するための空間を、第１及び第２のクリーナ部に設ける必要がないので、その分、外形の小型化と構造の簡略化とを図ることができる。
この結果、保管場所の省スペース化を、外形の小型化によって可能にすると共に、作動時の消費電力のさらなる低減化を、構造の簡略化によって可能にしている。
【０００７】
請求項２の発明は、請求項１に記載のシューズクリーナにおいて、挟持機構は、第１及び第２のハウジングをこれらの上端部で回転自在に支持するヒンジ機構と、第１及び第２のクリーナ部を接近させる方向に付勢するバネ部材とによって構成されている。
【０００８】
請求項３の発明は、請求項１または請求項２に記載のシューズクリーナにおいて、第１及び第２の電極シートの少なくとも誘電体を、高分子樹脂で形成した構成とする。
かかる構成により、少なくとも誘電体が高分子樹脂で形成された第１及び第２の電極シートによって、オゾンを発生することができる。
通常は、オゾン発生体の材料として、セラミックスを用いるが、この発明のように、オゾン発生体として、少なくとも誘電体が高分子樹脂のシートを用いることで、第１及び第２の電極シートの薄型化、軽量化を図ることができる。また、高分子樹脂は、割れるおそれがないため、一般ユーザにとっても扱いやすく、さらに、第１及び第２の電極シートを任意の形状に加工することも容易である。
【０００９】
請求項４の発明は、請求項１ないし請求項３のいずれかに記載のシューズクリーナにおいて、第１及び第２の電極シートにおける１対の電極は、それぞれ櫛歯状に形成され、これら１対の電極の櫛歯同士が、一定間隔を保って、噛み合っている構成とした。
【００１０】
請求項５の発明は、請求項１ないし請求項３のいずれかに記載のシューズクリーナにおいて、第１及び第２の電極シートにおける１対の電極の一方の電極を、誘電体内部に収納し、多数の孔を有した他方の電極又は櫛歯状の他方の電極のいずれかを、一方の電極に対向させた状態で、誘電体上に配設した構成とする。
【００１１】
請求項６の発明は、請求項１ないし請求項５のいずれかに記載のシューズクリーナにおいて、第１及び第２の蓋部のそれぞれの裏面に、第１及び第２の電極シートをそれぞれ収容した多孔性のカバーを設けた構成とする。
【００１２】
請求項７の発明は、請求項１ないし請求項６のいずれかに記載のシューズクリーナにおいて、第１及び第２の蓋部のそれぞれは、前蓋部と後蓋部とこれらを連結した連結部材とで形成され、前蓋部が連結部材を中心に回転可能に支持されている構成とした。
かかる構成により、第１及び第２の蓋部の前蓋部を、適当な角度だけ回転させて折っておくことで、シューズクリーナを、狭い履口を有したロングブーツにも取り付けることができる。そして、未使用時には、前蓋部を、後蓋部の裏面まで回転させて、折り畳んでおくことで、シューズクリーナを、小さなスペースの保管場所に保管することができる。
【発明の効果】
【００１３】
以上詳しく説明したように、この発明によれば、第１及び第２のクリーナ部で一方及び他方の靴を挟持した状態で、双方の靴を同時に除菌及び脱臭することができると共に、靴内のあらゆる箇所を除菌及び脱臭することができる、という優れた効果がある。
さらに、第１及び第２の蓋部の作用により、低濃度のオゾンで、十分な除菌と脱臭が可能であり、その分、消費電力の低減化を図ることができる。
また、この発明では、外形の小型化と構造の簡略化とを図ることができるので、保管場所の省スペース化と消費電力のさらなる低減化を図ることができる。
【００１４】
特に、請求項３の発明によれば、第１及び第２の電極シートの薄型化、軽量化を図ることができると共に、第１及び第２の電極シートの取り扱いや加工を容易に行うことができる。
【図面の簡単な説明】
【００１５】
【図１】この発明の第１実施例に係るシューズクリーナを示す斜視図である。
【図２】図１の矢視Ａ−Ａ断面図である。
【図３】電極シートを破断して示す概略平面図である。
【図４】昇圧回路によるオゾン発生機能を説明するための概略断面図である。
【図５】挟持機構の構造を示す平面図である。
【図６】挟持機構の機能を説明するための概略図であり、図６の（ａ）は、クリーナ部を閉じた状態を示し、図６の（ｂ）は、クリーナ部を開いた状態を示す。
【図７】シューズクリーナの使用例を説明するための概略断面図であり、図７の（ａ）は、シューズクリーナを靴に取り付ける直前の状態を示し、図７の（ｂ）は、シューズクリーナを靴に取り付けた状態を示す。
【図８】この発明の第２実施例に係るシューズクリーナの要部を示す概略断面図である。
【図９】図８に示す要部を分解して示す斜視図である。
【図１０】第２実施例で適用された電極の変形例を示す平面図であり、図１０の（ａ）は、第１変形例を示し、図１０の（ｂ）は、第２変形例を示す。
【図１１】この発明の第３実施例に係るシューズクリーナを示す断面図である。
【図１２】この発明の第４実施例に係るシューズクリーナを示す側面図である。
【図１３】シューズクリーナの使用例図であり、図１３の（ａ）は、ロングブーツに使用した例を示し、図１３の（ｂ）は、シューズクリーナを折り畳んだ状態を示す。
【図１４】この発明の第５実施例に係るシューズクリーナの要部を示す概略断面図である。
【図１５】この発明の第６実施例に係るシューズクリーナを一部破断して示す正面図である。
【図１６】シューズクリーナの使用例図である。
【発明を実施するための形態】
【００１６】
以下、この発明の最良の形態について図面を参照して説明する。
【００１７】
（実施例１）
図１は、この発明の第１実施例に係るシューズクリーナを示す斜視図であり、図２は、図１の矢視Ａ−Ａ断面図である。
図１及び図２に示すように、この実施例のシューズクリーナ１は、靴の内部を除菌及び脱臭するため装置であり、第１のクリーナ部としてのクリーナ部２−１と、第２のクリーナ部としてのクリーナ部２−２と、挟持機構３とを備えている。
【００１８】
クリーナ部２−１は、１足の靴の一方の靴の除菌等するためのものであり、第１の蓋部としての蓋部４−１と、第１の電極シートとしての電極シート５−１と、第１のハウジングとしてのハウジング６−１とで形成されている。
【００１９】
蓋部４−１は、プラスチックで形成されたプレート状の部材であり、一方の靴の履口から靴内に挿入可能な略半楕円の形状及び大きさをなす。その大きさは、靴の履口の大きさの７０パーセント以上に設定されている。この蓋部４−１の裏面に、蓋部４−１と同形状の電極シート５−１が貼り付けられている。
【００２０】
図３は、電極シートを破断して示す概略平面図である。
図３に示すように、電極シート５−１は、シート状の誘電体５０とこの誘電体５０内部に収納された１対の電極５１，５２とで形成されている。
具体的には、誘電体５０は、２層の誘電体層５０ａ，５０ｂで構成されており、電極５１，５２が下層の誘電体層５０ｂ上に形成され、上層の誘電体層５０ａが、電極５１，５２を覆うように、誘電体層５０ｂ上に積層されている。そして、１対の電極５１，５２のそれぞれは、櫛歯状に形成され、これら櫛歯５１ａ，５２ａ同士が、一定間隔を保つように噛み合わされている。
このような電極シート５−１は、全て高分子樹脂で形成されている。この実施例では、誘電体層５０ａ，５０ｂを、それぞれポリイミド樹脂で形成しただけでなく、電極５１，５２も高分子樹脂である導電性ポリマーで形成した。
【００２１】
ハウジング６−１は、図２に示すように、蓋部４−１の表面側に立設されている。このハウジング６−１も、蓋部４−１と同様に、プラスチックで形成されている。
【００２２】
一方、クリーナ部２−２は、１足の靴の他方の靴の除菌等するためのものであり、第２の蓋部としての蓋部４−２と、第２の電極シートとしての電極シート５−２と、第２のハウジングとしてのハウジング６−２とを備えている。
このクリーナ部２−２は、図１及び図２に示すように、クリーナ部２−１と面Ｍに関してほぼ面対称な形状と構造になっている。
具体的には、蓋部４−２は、蓋部４−１と面対称な形状のプラスチック製部材であり、電極シート５−２が、この蓋部４−２の裏面に貼り付けられている。この電極シート５−２も、図３に示すように、電極シート５−１と同様に、１対の電極５１，５２が、２層の誘電体層５０ａ，５０ｂで成るシート状の誘電体５０の内部に収納された構造になっている。また、ハウジング６−２は、ハウジング６−１と面対称状態で、蓋部４−２の表面側（図２の上側）に立設されている。このハウジング６−２も、蓋部４−２と同様に、プラスチックで形成されている。
【００２３】
上記したクリーナ部２−１のハウジング６−１内には、電圧供給部としての昇圧回路７が収納されている。
この昇圧回路７は、オゾン発生に必要な電圧を電極シート５−１とクリーナ部２−２の電極シート５−２とに供給するための回路である。
具体的には、図２及び図３に示すように、電池７０が、クリーナ部２−２のハウジング６−２内に収納され、スイッチ７１を介して、昇圧回路７の入力端７ａ，７ｂに電気的に接続されている。
電池７０は、この実施例では、例えば直流３Ｖの電圧を昇圧回路７に供給するための電源であり、スイッチ７１によって、その供給をオン又はオフさせることができる。
スイッチ７１は、ハウジング６−２の天壁６０ｂに組み付けられており、スイッチ７１を操作する押しボタン７１ａの頭部が、天壁６０ｂから上方に突出している。
このスイッチ７１を介して電池７０に接続された昇圧回路７の出力端７ｃ，７ｄは、電極シート５−１の電極５１，５２と電極シート５−２の電極５１，５２とのそれぞれに電気的に接続されている。
これにより、昇圧回路７は、電池７０からの直流電圧を、オゾン発生に必要な電圧に昇圧して、電極シート５−１（５−２）の電極５１，５２（５１，５２）に供給することができる。この実施例では、昇圧回路７は、電池７０から入力した３Ｖの直流電圧を例えば２ｋＶ〜１０ｋＶの交流電圧又はパルス電圧に昇圧して、電極シート５−１（５−２）の電極５１，５２（５１，５２）に印加する。
また、この昇圧回路７とスイッチ７１との間には、ＬＥＤランプ７２が設けられている。具体的には、ＬＥＤランプ７２が、ハウジング６−１の天壁６０ａに組み付けられ、その頭部が、天壁６０ａから突出している。
【００２４】
図４は、昇圧回路７によるオゾン発生機能を説明するための概略断面図である。
昇圧回路７が、上記のように電極シート５−１（５−２）に接続されていることにより、図４に示すように、スイッチ７１をオンにすることで、電池７０の直流電圧３Ｖが昇圧回路７に入力され、２ｋＶ〜１０ｋＶの交流又はパルス状の高電圧が、昇圧回路７から電極シート５−１（５−２）の電極５１，５２（５１，５２）に供給される。この結果、放電が電極５１，５２間に生じ、オゾンＯ3が、電極シート５−１（５−２）の下面から下方に向かって放出されることとなる。また、ＬＥＤランプ７２が、スイッチ７１のオン動作と同時に点灯し、ユーザは、ＬＥＤランプ７２の点灯によって、シューズクリーナ１が作動中であることを視認することができる。そして、ＬＥＤランプ７２は、スイッチ７１のオフ動作によって消灯する。
【００２５】
図１に示す挟持機構３は、上記のごとく面対称状態で対向するクリーナ部２−１，２−２を接近及び離反可能に支持すると共にクリーナ部２−１，２−２を互いに接近させる方向に付勢する機構である。この実施例では、挟持機構３をクリーナ部２−１，２−２の上部に組み込むことで、クリーナ部２−１，２−２全体をクリップ状に形成した。
【００２６】
図５は、挟持機構３の構造を示す平面図である。
図２に示すように、挟持機構３は、ヒンジピン３０と、バネ部材としてのコイルバネ３１と、摘み３２，３３とを備えている。
具体的には、図５に示すように、１対の突出部３４ａ，３４ｂが、ハウジング６−１の上端部の前後（図５の下上）にそれぞれ突設され、突出部３４ａ，３４ｂに当接するように、１対の突出部３５ａ，３５ｂが、ハウジング６−２の上端部に突設されている。そして、ヒンジピン３０が、突出部３４ａ，３４ｂ，３５ａ，３５ｂに挿通されている。つまり、ヒンジピン３０と突出部３４ａ，３４ｂ，３５ａ，３５ｂとによって、ヒンジ機構が構成されている。そして、コイルバネ３１がヒンジピン３０の外側に嵌められ、コイルバネ３１の前端部３１ａがハウジング６−１側に固定され、後端部３１ｂがハウジング６−２側に固定されている。
【００２７】
図６は、挟持機構３の機能を説明するための概略図であり、図６の（ａ）は、クリーナ部２−１，２−２を閉じた状態を示し、図６の（ｂ）は、クリーナ部２−１，２−２を開いた状態を示す。
上記したように、ヒンジ機構によって、クリーナ部２−１，２−２が、ヒンジピン３０を中心に自由に回転することができるようになっている。そして、コイルバネ３１によって、クリーナ部２−１，２−２が、図６の（ａ）に示すように、互いに接近する方向に付勢されている。したがって、常時は、クリーナ部２−１，２−２は閉じた状態になっている。そして、図６の（ｂ）に示すように、挟持機構３の摘み３２，３３を摘んで、クリーナ部２−１，２−２を、ヒンジピン３０を中心に、互いに離れる方向に回転させることで、クリーナ部２−１，２−２を開くことができる。このとき、摘み３２，３３に対する摘み力を、コイルバネ３１の付勢力に抗して、強めたり、弱めたりすることで、クリーナ部２−１，２−２の開度θを調整することができる。そして、摘み３２，３３に対する摘み力を、解放することで、図６の（ａ）に示すように、クリーナ部２−１，２−２が、コイルバネ３１の付勢力によって閉じる。
【００２８】
次に、この実施例のシューズクリーナ１の使用例について説明する。
図７は、シューズクリーナ１の使用例を説明するための概略断面図であり、図７の（ａ）は、シューズクリーナ１を靴に取り付ける直前の状態を示し、図７の（ｂ）は、シューズクリーナ１を靴に取り付けた状態を示す。
図７の（ａ）に示すように、シューズクリーナ１を一足の靴１００Ａ，１００Ｂに取り付けるには、まず、電極シート５−１，５−２を下側に向けた状態で、シューズクリーナ１を、靴１００Ａ，１００Ｂの隣り合うアッパー側部１０１Ａ，１０１Ｂの真上に配する。そして、挟持機構３の摘み３２，３３を摘んで、クリーナ部２−１，２−２を所望の開度θ迄開く。
【００２９】
かかる状態で、シューズクリーナ１の蓋部４−１及び電極シート５−１を、履口１０２Ａを通じて一方の靴１００Ａの内部に挿入すると共に、蓋部４−２及び電極シート５−２を、履口１０２Ｂを通じて他方の靴１００Ｂの内部に挿入する。
そして、シューズクリーナ１の蓋部４−１，４−２及び電極シート５−１，５−２が、靴１００Ａ，１００Ｂ内で、ほぼ水平になるように、クリーナ部２−１，２−２の向きを調整した後、挟持機構３の摘み３２，３３に対する摘み力を解放する。
すると、挟持機構３のコイルバネ３１によって、クリーナ部２−１，２−２が閉じる方向に接近し、図７の（ｂ）に示すように、クリーナ部２−１，２−２が、靴１００Ａ，１００Ｂのアッパー側部１０１Ａ，１０１Ｂを挟持した状態になる。
これにより、クリーナ部２−１（２−２）の蓋部４−１（４−２）が、靴１００Ａ（１００Ｂ）の履口１０２Ａ（１０２Ｂ）の７０パーセント以上を内側から塞いだ状態になる。そして、蓋部４−１（４−２）裏面の電極シート５−１（５−２）が、靴１００Ａ（１００Ｂ）の靴底１０３Ａ（１０３Ｂ）に対面した状態になる。
【００３０】
かかる状態で、クリーナ部２−２の上面から突出している押しボタン７１ａを押し、スイッチ７１（図２参照）をオンにする。すると、クリーナ部２−１のＬＥＤランプ７２が点灯すると共に、オゾンＯ3が、クリーナ部２−１，２−２の電極シート５−１，５−２の下面から靴底１０３Ａ，１０３Ｂ側に向かって放出される。
このとき、蓋部４−１，４−２裏面の電極シート５−１，５−２が、靴１００Ａ，１００Ｂの靴底１０３Ａ，１０３Ｂに対面しているので、電極シート５−１，５−２から放出されたオゾンＯ3が、靴底１０３Ａ，１０３Ｂに直接吹き付けられる。
気体であるオゾンＯ3は、靴１００Ａ，１００Ｂの内部全体に十分に行き渡り、靴１００Ａ，１００Ｂ内のあらゆる箇所を除菌及び脱臭する。したがって、紫外線等の光では除菌及び脱臭することができなかった中敷き１１０Ａ，１１０Ｂの陰に隠れている箇所やつま先等も、十分に除菌及び脱臭することができる。
このようにして、この実施例のシューズクリーナ１によれば、１つの装置で、双方の靴１００Ａ，１００Ｂを同時に除菌及び脱臭することができる。
【００３１】
ところで、気体であるオゾンＯ3は、対流によって、靴１００Ａ（１００Ｂ）の履口１０２Ａ（１０２Ｂ）から漏出するおそれがある。しかし、この実施例のシューズクリーナ１では、蓋部４−１（４−２）が、靴底１０３Ａ（１０３Ｂ）の空間を上から蓋した状態で位置しているので、蓋部４−１（４−２）が、オゾンＯ3をこの空間内に閉じ込める。また、蓋部４−１（４−２）が履口１０２Ａ（１０２Ｂ）よりも小さい場合にも、オゾンＯ3は空気よりも重いため、ほとんどのオゾンＯ3が、蓋部４−１（４−２）よりも下側の空間に溜まる。
この結果、オゾンＯ3は、履口１０２Ａ（１０２Ｂ）からほとんど漏出することはない。
このように、オゾンＯ3が、ほとんど漏出することなく、靴１００Ａ（１００Ｂ）内に充満することになるので、靴１００Ａ（１００Ｂ）内を、低濃度のオゾンＯ3によって、十分に除菌及び脱臭することができる。この結果、シューズクリーナ１の消費電力を低減化することができる。
【００３２】
そして、除菌及び脱臭を終了した後に、クリーナ部２−２の押しボタン７１ａを再度押し、スイッチ７１をオフ状態にする。すると、クリーナ部２−１のＬＥＤランプ７２が消灯すると共に、クリーナ部２−１，２−２の電極シート５−１，５−２からのオゾンの放出が停止する。この状態で、挟持機構３の摘み３２，３３を摘んで、クリーナ部２−１，２−２を開き、シューズクリーナ１を靴１００Ａ，１００Ｂから取り外す。
【００３３】
ところで、この実施例のシューズクリーナ１は、図２に示したように、クリップ形状のクリーナ部２−１，２−２に、小さな電池７０，昇圧回路７，スイッチ７１，ＬＥＤランプ７２及び電極シート５−１，５−２を装着しただけの簡単な構造である。つまり、シューズクリーナ１の作動時の消費電力の低減化が図られているだけでなく、装置の小型化も図られている。
したがって、シューズクリーナ１の使用後には、シューズクリーナ１を小さなスペースの保管場所に保管することができる。
【００３４】
（実施例２）
次に、この発明の第２実施例について説明する。
図８は、この発明の第２実施例に係るシューズクリーナの要部を示す概略断面図であり、図９は、図８に示す要部を分解して示す斜視図である。
図８に示すように、この実施例では、電極シート５−１（５−２）の構造が上記第１実施例の電極シートと異なる。
すなわち、一方の電極としての電極５１’のみが誘電体５０内部に収納され、他方の電極としての電極５２’は、誘電体５０の外部に設けられている。
【００３５】
具体的には、図９に示すように、ベタ状の電極５１’が下層の誘電体層５０ｂ上に積層形成され、上層の誘電体層５０ａが、電極５１’を覆うように誘電体層５０ｂ上に積層されている。そして、電極５１’とほぼ同形の電極５２’が、誘電体層５０ｂの下に形成されている。さらに、保護層５３が、電極５２’の下に形成されている。
【００３６】
また、電極５１’の角部には、端子部５１ａ’が設けられ、その上の誘電体層５０ａの角部には、端子部５１ａ’を覗く給電口５０ａ１が形成されている。そして、昇圧回路７の出力端７ｃから延出した配線７ｃ’が、給電口５０ａ１を通って、電極５１’の端子部５１ａ’に接続されている。
【００３７】
一方、電極５２’の角部には、端子部５２ｂ’が設けられ、その上の誘電体層５０ｂの角部には、端子部５２ｂ’を覗く矩形状の給電口５０ｂ１が形成されている。さらに、給電口５０ｂ１と連通する給電口５０ａ２が、誘電体層５０ａの角部に設けられている。そして、昇圧回路７の出力端７ｄから延出した配線７ｄ’が、給電口５０ａ２，５０ｂ１を通って、電極５２’の端子部５２ｂ’に接続されている。
この電極５２’には、多数の円形孔５２ａ’が一定間隔で穿設されている。
【００３８】
この実施例の電極シート５−１（５−２）においても、上記第１実施例の電極シートと同様に、電極シート５−１（５−２）自体を、全て高分子樹脂で形成した。すなわち、誘電体層５０ａ，５０ｂと保護層５３とを、それぞれポリイミド樹脂で形成しただけでなく、電極５１’，５２’も高分子樹脂である導電性ポリマーで形成した。
なお、この実施例では、保護層５３を、誘電体５０の下面にある電極５２’の下に設けたが、保護層５３は、必須の部材ではなく、場合によっては、設けることを要しない。
【００３９】
図１０は、第２実施例で適用された電極の変形例を示す平面図であり、図１０の（ａ）は、第１変形例を示し、図１０の（ｂ）は、第２変形例を示す。
この第２実施例では、図９に示したように、多数の円形孔５２ａ’を有した電極５２’を、他の電極として適用したが、図１０の（ａ）に示すように、網状の電極５２’−２を、他の電極として適用することができる。また、図１０の（ｂ）に示すように、櫛歯状の電極５２’−３を、他の電極として適用することもできる。
その他の構成、作用及び効果は、上記第１実施例と同様であるので、それらの記載は省略する。
【００４０】
（実施例３）
次に、この発明の第３実施例について説明する。
図１１は、この発明の第３実施例に係るシューズクリーナを示す断面図である。
図１１に示すように、この実施例のシューズクリーナ１では、カバー８−１，８−２が、蓋部４−１，４−２に取り付けられている点が、上記第１及び第２実施例と異なる。
カバー８−１（８−２）は、全体として、蓋部４−１（４−２）と対応した形状を成し、蓋部４−１（４−２）裏面の電極シート５−１（５−２）を収納した状態で、蓋部４−１（４−２）の下側に取り付けられている。
具体的には、カバー８−１（８−２）は、底壁部８０と周壁部８１とで形成されており、周壁部８１の内面上部が、蓋部４−１（４−２）の周縁に気密に固定され、オゾンを溜める空間Ｓが、底壁部８０と電極シート５−１（５−２）との間に画成されている。
さらに、多数の孔８３が、底壁部８０に設けられている。
かかる構成により、合成樹脂の電極シート５−１（５−２）がカバー８−１（８−２）によって保護される。
また、電極シート５−１（５−２）で発生したオゾンが、空間Ｓに蓄えられた後、多数の円形の孔８３を通じて均一に外部に放出される。
なお、底壁部８０は、格子状に形成しても良いし、メッシュ状に形成しても良い。
その他の構成、作用及び効果は、上記第１及び第２実施例と同様であるので、それらの記載は省略する。
【００４１】
（実施例４）
次に、この発明の第４実施例について説明する。
図１２は、この発明の第４実施例に係るシューズクリーナを示す側面図である。
この実施例のシューズクリーナ１では、蓋部４−１（４−２）と電極シート５−１（５−２）とが、折り曲げ可能に形成されている点が、上記第１〜第３実施例と異なる。
具体的には、図１２に示すように、蓋部４−１（４−２）が、前蓋部４１と後蓋部４２とに分離され、これら前蓋部４１と後蓋部４２とが、連結部材４０によって回転可能に支持されている。
この実施例では、連結部材４０として、弾性ゴムを適用した。しかし、これに限定されるものではなく、コイルバネ，板バネ、蝶番等を、連結部材４０として使用することもできる。
【００４２】
次に、この実施例のシューズクリーナ１の使用例について説明する。
図１３は、シューズクリーナ１の使用例図であり、図１３の（ａ）は、ロングブーツに使用した例を示し、図１３の（ｂ）は、シューズクリーナ１を折り畳んだ状態を示す。
図１等に示したように、上記第１〜第３実施例のシューズクリーナでは、長い蓋部４−１（４−２）が邪魔になって、ロングブーツに取り付けることができない。しかし、この実施例のシューズクリーナ１では、図１３の（ａ）に示すように、蓋部４−１（４−２）の前蓋部４１と電極シート５−１（５−２）の前半部を、回転させて折り曲げることにより、ロングブーツ１３０に取り付けることができる。
また、図１３の（ｂ）に示すように、前蓋部４１を、後蓋部４２側まで回転させて、蓋部４−１（４−２）と電極シート５−１（５−２）とを折り畳むことができ、シューズクリーナ１を、狭いスペースの場所にも保管することができる。
その他の構成、作用及び効果は、上記第１〜第３実施例と同様であるので、それらの記載は省略する。
【００４３】
（実施例５）
次に、この発明の第５実施例について説明する。
図１４は、この発明の第５実施例に係るシューズクリーナの要部を示す概略断面図である。
この実施例では、タイマを設けた点が、上記第１〜第４実施例と異なる。
具体的には、図１４に示すように、タイマ７３をスイッチ７１と昇圧回路７との間に介設した。
これにより、スイッチ７１をオンすると、タイマ７３と昇圧回路７が作動する。そして、タイマ７３に設定された駆動時間が経過すると同時に、タイマ７３が昇圧回路７を自動的に停止させる。
その他の構成、作用及び効果は、上記第１〜第４実施例と同様であるので、それらの記載は省略する。
【００４４】
（実施例６）
次に、この発明の第６実施例について説明する。
図１５は、この発明の第６実施例に係るシューズクリーナを一部破断して示す正面図であり、図１６は、シューズクリーナ１の使用例図である。
この実施例のシューズクリーナ１では、挟持機構の構成が、上記第１〜第５実施例の挟持機構３と異なる。
【００４５】
図１５に示すように、この実施例の挟持機構３’も、上記挟持機構３と同様に、ヒンジピン３０と突出部３４ａ，３４ｂ，３５ａ，３５ｂ（図５参照）とで成るヒンジ機構を有している。しかし、上記挟持機構３と異なり、コイルバネ３１（図５参照）の代わりに、磁石３６，３７が用いられている。
具体的には、磁石３６がクリーナ部２−１のハウジング６−１の内側壁６２に取り付けられ、磁石３７がクリーナ部２−２のハウジング６−２の内側壁６３に取り付けられている。そして、互いに向き合った磁極が逆極性になるように、磁石３６，３７が配置されている。
【００４６】
かかる構成により、互いに向き合った磁極が逆極性になるように、磁石３６，３７が配置されているので、常時は、図１５に示すように、磁石３６，３７が互いに引きつけられ、シューズクリーナ１のクリーナ部２−１，２−２が閉じた状態になる。
使用時には、図１６に示すように、磁石３６，３７の磁力に抗して、クリーナ部２−１，２−２を開き、シューズクリーナ１を隣り合うアッパー側部１０１Ａ，１０１Ｂに跨らせる。すると、磁石３６，３７の磁力によって、クリーナ部２−１，２−２が閉じて、アッパー側部１０１Ａ，１０１Ｂを挟持した状態になる。
かかる状態で、押しボタン７１ａを押し、スイッチ７１（図２参照）をオンすることで、靴１００Ａ，１００Ｂ内を除菌及び脱臭することができる。
その他の構成、作用及び効果は、上記第１〜第５実施例と同様であるので、それらの記載は省略する。
【００４７】
なお、この発明は、上記実施例に限定されるものではなく、発明の要旨の範囲内において種々の変形や変更が可能である。
例えば、上記実施例では、第１及び第２の蓋部として、靴の履口の大きさの７０パーセント以上に設定した蓋部４−１，４−２を例示したが、第１及び第２の蓋部の大きさは、これに限定されるものではなく、靴内に挿入可能な大きさの蓋部を備えたシューズクリーナの全てを、この発明の範囲に含む。
また、上記実施例では、携帯性を図るため、電池７０を電源としたが、電池７０の代わりに、交流の商用電源を、直接使用する構成やＤＣアダプタを通じて使用する構成とすることもできる。
また、上記実施例では、電極シート５−１，５−２の電極５１，５２，５１’，５２’，５２’−２，５２’−３も、誘電体５０と同じく高分子樹脂である導電性ポリマーで形成したが、電極５１，５２，５１’，５２’，５２’−２，５２’−３を銅等の金属箔や、炭素や銀等の導電性インクで形成しても良い。
また、上記第１実施例の電極シートでは、櫛歯状の１対の電極５１，５２を共に誘電体５０内に収納した構成を採用し、第２実施例の電極シートでは、一方の電極５１’を誘電体５０内に収納すると共に他方の電極５２’を誘電体５０の下面に設けた構成を採用したが、電極シートの構成は、これに限らず、例えば、１対の電極を平板状に形成して、これら２つの電極を、一定間隔を保って、横並びにした構成にしても良く、また、１つの電極を共に渦巻き状に形成して、これら渦巻き状の１対の電極を一定の間隔を保って嵌め合わせた構成にしても良い。
【符号の説明】
【００４８】
１…シューズクリーナ、  ２−１，２−２…クリーナ部、  ３，３’…挟持機構、  ４−１，４−２…蓋部、  ５−１，５−２…電極シート、  ６−１，６−２…ハウジング、  ７…昇圧回路、  ７ａ，７ｂ…入力端、  ７ｃ，７ｄ…出力端、  ７ｃ’，７ｄ’…配線、  ８−１，８−２…カバー、  ３０…ヒンジピン、  ３１…コイルバネ、  ３１ａ…前端部、  ３１ｂ…後端部、  ３２，３３…摘み、  ３４ａ，３４ｂ，３５ａ，３５ｂ…突出部、  ３６，３７…磁石、  ４０…連結部材、  ４１…前蓋部、  ４２…後蓋部、  ５０…誘電体、  ５０ａ，５０ｂ…誘電体層、  ５０ａ１，５０ｂ１，５０ａ２…給電口、  ５１，５２，５１’，５２’，５２’−２，５２’−３…電極、  ５１ａ，５２ａ…櫛歯、  ５１ａ’，５２ｂ’…端子部、  ５２ａ’…円形孔、  ５３…保護層、  ６０ａ，６０ｂ…天壁、  ６２，６３…内側壁、  ７０…電池、  ７１…スイッチ、  ７１ａ…押しボタン、  ７２…ＬＥＤランプ、  ７３…タイマ、  ８０…底壁部、  ８１…周壁部、  ８３…孔、  １００Ａ，１００Ｂ…靴、  １０１Ａ，１０１Ｂ…アッパー側部、  １０２Ａ，１０２Ｂ…履口、  １０３Ａ，１０３Ｂ…靴底、  １１０Ａ，１１０Ｂ…中敷き、  １３０…ロングブーツ、  Ｍ…面、  Ｏ3…オゾン、  Ｓ…空間、  θ…開度。
【図１】
0006631873.tif 000002
【図２】
0006631873.tif 000003
【図３】
0006631873.tif 000004
【図４】
0006631873.tif 000005
【図５】
0006631873.tif 000006
【図６】
0006631873.tif 000007
【図７】
0006631873.tif 000008
【図８】
0006631873.tif 000009
【図９】
0006631873.tif 000010
【図１０】
0006631873.tif 000011
【図１１】
0006631873.tif 000012
【図１２】
0006631873.tif 000013
【図１３】
0006631873.tif 000014
【図１４】
0006631873.tif 000015
【図１５】
0006631873.tif 000016
【図１６】
0006631873.tif 000017